(57)【要約】【課題】本係止位置におけるリテーナの保持力を向上させ、リテーナが本係止位置から仮係止位置へ移動することを回避する。【解決手段】本明細書によって開示されるコネクタ１０は、キャビティ２１およびこのキャビティ２１に連通するリテーナ収容空間２２を有するハウジング２０と、リテーナ収容空間２２に挿入されて仮係止位置に装着され、この仮係止位置から押し込まれることで本係止位置へ移動可能とされたリテーナ３０とを備え、このリテーナ３０は、リテーナ本体３１と、リテーナ収容空間２２の内壁に凹設された圧入凹部２６に圧入される圧入突起３６とを備えて構成され、本係止位置にて圧入突起３６と圧入凹部２６が干渉する干渉部Ｉの寸法は、仮係止位置から本係止位置までの移動距離と等しい構成とした。【選択図】図４
2016051553.tif 000002
【特許請求の範囲】
【請求項１】
端子と、
この端子が挿入されるキャビティおよびこのキャビティに連通するリテーナ収容空間を有するハウジングと、
前記リテーナ収容空間に挿入されて仮係止位置に装着され、この仮係止位置から押し込まれることで本係止位置へ移動可能とされたリテーナとを備え、
このリテーナは、リテーナ本体と、前記リテーナ収容空間の内壁に凹設された圧入凹部に圧入される圧入突起とを備えて構成され、
前記本係止位置にて前記圧入突起と前記圧入凹部が干渉する干渉部の寸法は、前記仮係止位置から前記本係止位置までの移動距離と等しいコネクタ。
【請求項２】
前記リテーナは前記リテーナの装着方向に長く延びるガタ抑制リブを有し、前記ハウジングは、前記ガタ抑制リブが収容されることで前記本係止位置において前記リテーナ本体がガタつくことを抑制するリブ収容空間を有し、前記圧入突起は前記ガタ抑制リブに一体に設けられている請求項１に記載のコネクタ。
【請求項３】
前記圧入突起は、前記ガタ抑制リブの先端から前記リテーナの移動方向に突出して設けられている請求項２に記載のコネクタ。
【発明の詳細な説明】
【技術分野】
【０００１】
本明細書によって開示される技術は、リテーナを備えたコネクタに関する。
【背景技術】
【０００２】
従来、リテーナを備えたコネクタとして、例えば特開２００１−６７９３号公報（下記特許文献１）に記載のものが知られている。このコネクタは、端子金具を収容可能なキャビティが設けられたハウジングを有している。ハウジングの側面には、リテーナを装着可能なリテーナ装着口が開設され、キャビティの中央部において端子金具と直交する方向から連通するようになっている。リテーナ装着口に装着されたリテーナは、ハウジングに対し浅い位置で係止する仮係止位置と、それよりも深い位置で係止する本係止位置との二つの位置で係止する。
【先行技術文献】
【特許文献】
【０００３】
【特許文献１】特開２００１−６７９３号公報
【発明の概要】
【発明が解決しようとする課題】
【０００４】
上記のコネクタでは、リテーナが本係止位置にあるときに、ハウジングとリテーナとの間にガタ詰めがされているため、ハウジングとリテーナとのガタつきが解消されるようになっている。しかしながら、このガタ詰めは、本係止位置でのガタつきを防ぐものにすぎず、抜け止めの機能を果たさないものとされている。すなわち、リテーナが本係止位置から仮係止位置側へわずかに移動すると、ガタ詰め効果が失われるため、本係止位置での抜け止めを行うことができなくなる。したがって、リテーナが仮係止位置から本係止位置へ押し込まれて、リテーナの係止突部がハウジングの係止突部を乗り越える際に各係止突部が削られてしまうと、各係止突部の係止力が低下し、リテーナが本係止位置から仮係止位置へ移動するおそれがある。
【課題を解決するための手段】
【０００５】
本明細書によって開示されるコネクタは、端子と、この端子が挿入されるキャビティおよびこのキャビティに連通するリテーナ収容空間を有するハウジングと、前記リテーナ収容空間に挿入されて仮係止位置に装着され、この仮係止位置から押し込まれることで本係止位置へ移動可能とされたリテーナとを備え、このリテーナは、リテーナ本体と、前記リテーナ収容空間の内壁に凹設された圧入凹部に圧入される圧入突起とを備えて構成され、前記本係止位置にて前記圧入突起と前記圧入凹部が干渉する干渉部の寸法は、前記仮係止位置から前記本係止位置までの移動距離と等しい構成とした。
【０００６】
このような構成によると、圧入突起を圧入凹部に圧入することで本係止位置におけるリテーナの保持力を向上させることができる。したがって、リテーナを仮係止位置から本係止位置へ押し込む際に、本係止用の爪が削れられて、この爪による係止力が低下した場合であっても、リテーナが本係止位置から仮係止位置へ移動することを回避できる。
【０００７】
本明細書によって開示されるコネクタは以下の構成としてもよい。
前記リテーナは前記リテーナの装着方向に長く延びるガタ抑制リブを有し、前記ハウジングは、前記ガタ抑制リブが収容されることで前記本係止位置において前記リテーナ本体がガタつくことを抑制するリブ収容空間を有し、前記圧入突起は前記ガタ抑制リブに一体に設けられている構成としてもよい。
このような構成によると、ガタ抑制リブを利用して圧入突起を設ければよく、ガタ抑制リブとは別に圧入突起を設けなくてよい。したがって、リテーナの構成を複雑にすることなく、ガタ抑制リブを設けることができる。
【０００８】
前記圧入突起は、前記ガタ抑制リブの先端から前記リテーナの移動方向に突出して設けられている構成としてもよい。
このような構成によると、リテーナを仮係止位置から本係止位置へ移動させると同時に、圧入突起を圧入凹部に圧入することができる。
【発明の効果】
【０００９】
本明細書によって開示されるコネクタによれば、本係止位置におけるリテーナの保持力を向上させることができ、リテーナが本係止位置から仮係止位置へ移動することを回避できる。
【図面の簡単な説明】
【００１０】
【図１】リテーナが仮係止位置にあるコネクタの正面図
【図２】図１におけるＡ−Ａ線断面図
【図３】リテーナが本係止位置にあるコネクタの正面図
【図４】図３におけるＢ−Ｂ線断面図
【図５】図３におけるＣ−Ｃ線断面図
【図６】ハウジングの正面図
【図７】ハウジングの底面図
【図８】リテーナの正面図
【図９】リテーナの平面図
【図１０】リテーナの側面図
【発明を実施するための形態】
【００１１】
＜実施形態＞
実施形態を図１から図１０の図面を参照しながら説明する。本実施形態におけるコネクタ１０は、図１および図２に示すように、合成樹脂製のハウジング２０と、合成樹脂製のリテーナ３０とを備えている。図７に示すように、ハウジング２０の内部には、図示しない端子が収容されるキャビティ２１が形成されており、ハウジング２０の底面には、キャビティ２１に連通するリテーナ収容空間２２が設けられている。
【００１２】
リテーナ３０は、図８に示すように、端子を抜け止めするリテーナ本体３１と、このリテーナ本体３１の両側に配された一対の係止部３２と、一対の係止部３２の外側（一対の係止部３２が対向する側とは反対側）に配された一対のガタ抑制リブ３３とを備えて構成されている。また、リテーナ３０は、図２に示す仮係止位置と、図４に示す本係止位置との間を上下方向に移動可能とされている。
【００１３】
係止部３２は、図１０に示すように、いずれもリテーナ本体３１の底板３１Ａから上方に突出する形態をなす本係止部３４と仮係止部３５とを備えて構成されている。本係止部３４の先端部には本係止爪３４Ａが設けられ、仮係止部３５の先端部には仮係止爪３５Ａが設けられている。本係止爪３４Ａと仮係止爪３５Ａは互いに反対方向を向いて突出する形態とされている。仮係止部３５における仮係止爪３５Ａの下方には、補助係止爪３５Ｂが設けられている。この補助係止爪３５Ｂは仮係止爪３５Ａと同じ方向に突出する形態とされている。
【００１４】
図２に示すように、リテーナ収容空間２２の内部には、仮係止爪３５Ａと係止する仮係止受け部２３が設けられている。仮係止爪３５Ａの下面と仮係止受け部２３の上面とはいずれも水平面とされている。仮係止爪３５Ａの下面（水平面）と仮係止受け部２３の上面（水平面）とが面当たりして互いに係止することにより、リテーナ３０が仮係止位置に保持され、リテーナ３０がリテーナ収容空間２２から下方に外れることが防止される。
【００１５】
また、補助係止爪３５Ｂの上面は斜め上方に延びるテーパ面とされ、仮係止受け部２３の下面は斜め下方に延びるテーパ面とされている。補助係止爪３５Ｂの上面（テーパ面）と仮係止受け部２３の下面（テーパ面）とが面当たりすることで、リテーナ３０が仮係止位置から本係止位置へ容易に移動してしまうことを抑制している。
【００１６】
リテーナ収容空間２２の内部には、本係止爪３４Ａと係止する本係止受け部２４が設けられている。本係止爪３４Ａの上面は斜め上方に延びるテーパ面とされ、本係止受け部２４の下面は斜め下方に延びるテーパ面とされている。本係止爪３４Ａの上面（テーパ面）と本係止受け部２４の下面（テーパ面）とが面当たりすることによっても、リテーナ３０が仮係止位置から本係止位置へ容易に移動してしまうことを抑制している。
【００１７】
図４に示すように、本係止受け部２４の上面は水平面とされ、本係止爪３４Ａの下面は水平面とされている。本係止爪３４Ａの下面（水平面）と本係止受け部２４の上面（水平面）とが面当たりして互いに係止することにより、リテーナ３０が本係止位置に保持され、リテーナ収容空間２２から下方に外れることが防止される。
【００１８】
図７に示すように、リテーナ収容空間２２の一対の内側壁２２Ａには、一対のガタ抑制リブ３３を収容する一対のリブ収容空間２５が設けられている。このリブ収容空間２５は、下方と側方（図２の紙面手前側）の２方向に開口している。図２に示す仮係止位置では、ガタ抑制リブ３３がリブ収容空間２５の下半分に収容されており、リテーナ３０の前後方向への傾きが抑制されている。図４に示す本係止位置では、ガタ抑制リブ３３がリブ収容空間２５の上半分に収容されており、仮係止位置と同様に、リテーナ３０の前後方向への傾きが抑制されている。
【００１９】
さて、図８に示すように、一対のガタ抑制リブ３３の突出端には、一対の圧入突起３６が設けられている。この圧入突起３６は、ガタ抑制リブ３３に連なって設けられ、リテーナ３０の移動方向すなわち仮係止位置から本係止位置へ向かう方向に突出して設けられている。図１０に示すように、圧入突起３６は、先端に向かうほど幅狭とされている。
【００２０】
一方、図７に示すように、リテーナ収容空間２２の一対の内側壁２２Ａには、一対の圧入凹部２６が設けられている。この圧入凹部２６は、リブ収容空間２５に連通し、リブ収容空間２５におけるガタ抑制リブ３３の挿入方向の奥側に配され、図５に示すように、圧入突起３６が圧入されるようになっている。
【００２１】
図２に示す仮係止位置では、圧入突起３６が圧入凹部２６の入口手前に控えており、圧入開始直前の状態とされている。圧入凹部２６は、圧入突起３６よりも一回り小さく、圧入凹部２６の両側は、圧入突起３６の両側とほぼ同じ傾斜とされている。したがって、リテーナ３０が仮係止位置から本係止位置へ移動し始めると同時に、圧入突起３６が圧入凹部２６に圧入し始める。
【００２２】
そして、図４に示す本係止位置へ至るまでの間、圧入突起３６は圧入凹部２６に圧入し続ける。本係止位置にて圧入突起３６と圧入凹部２６が干渉する干渉部Ｉの上下寸法は、リテーナ３０が仮係止位置から本係止位置へ至るまでの移動距離と等しい。このため、リテーナ３０は、本係止位置において強固に保持され、本係止爪３４Ａが本係止受け部２４と干渉して爪ダレした場合でも、本係止位置に確実に保持することができる。
【００２３】
本実施形態は以上のような構成であって、続いてその作用を説明する。まず、リテーナ３０をハウジング２０のリテーナ収容空間２２に挿入し、仮係止位置にセットする。このとき、図２に示すように、仮係止爪３５Ａが仮係止受け部２３に係止することでリテーナ３０がリテーナ収容空間２２から脱落することなく、仮係止位置に保持される。また、ガタ抑制リブ３３がリブ収容空間２５に進入することでリテーナ３０のガタつきが抑制される。その後、ハウジング２０のキャビティ２１に端子を挿入する。
【００２４】
次に、リテーナ３０を仮係止位置から本係止位置へ押し込むと、端子がリテーナ本体２１によって抜け止めされる。ここで、本係止爪３４Ａは仮係止爪３５Ａよりも小さく、本係止爪３４Ａが本係止受け部２４を乗り越える際に、本係止爪３４Ａが爪ダレする場合があり、本係止位置におけるリテーナ３０の保持力が低下するおそれがある。そこで、本実施形態では圧入突起３６を圧入凹部２６に圧入することで設けられる干渉部Ｉによって、本係止位置におけるリテーナ３０の保持力を向上させている。圧入突起３６と圧入凹部２６が干渉する干渉部Ｉは、図４に示すように、圧入凹部２６の入口部分から圧入突起３６の先端に亘る長さで設けられているため、本係止位置におけるリテーナ３０の高い保持力が実現されている。よって、本係止爪３４Ａが爪ダレした場合でもリテーナ３０がリテーナ収容空間２２から飛び出して抜けることを防止できる。
【００２５】
以上のように本実施形態では、圧入突起３６を圧入凹部２６に圧入することで本係止位置におけるリテーナ３０の保持力を向上させることができる。したがって、リテーナ３０を仮係止位置から本係止位置へ押し込む際に、本係止爪３４Ａが削れられて、この本係止爪３４Ａによる係止力が低下した場合であっても、リテーナ３０が本係止位置から仮係止位置へ移動することを回避できる。
【００２６】
リテーナ３０はリテーナ３０の装着方向に長く延びるガタ抑制リブ３３を有し、ハウジング２０は、ガタ抑制リブ３３が収容されることで本係止位置においてリテーナ本体３１がガタつくことを抑制するリブ収容空間２５を有し、圧入突起３６はガタ抑制リブ３３に一体に設けられている構成としてもよい。
このような構成によると、ガタ抑制リブ３３を利用して圧入突起３６を設ければよく、ガタ抑制リブ３３とは別に圧入突起３６を設けなくてよい。したがって、リテーナ３０の構成を複雑にすることなく、ガタ抑制リブ３３を設けることができる。
【００２７】
圧入突起３６は、ガタ抑制リブ３３の先端からリテーナ３０の移動方向に突出して設けられている構成としてもよい。
このような構成によると、リテーナ３０を仮係止位置から本係止位置へ移動させると同時に、圧入突起３６を圧入凹部２６に圧入することができる。
【００２８】
＜他の実施形態＞
本明細書によって開示される技術は上記記述及び図面によって説明した実施形態に限定されるものではなく、例えば次のような種々の態様も含まれる。
（１）上記実施形態では圧入突起３６をガタ抑制リブ３３と一体に設けているものの、圧入突起をガタ抑制リブ３３と別体に設けてもよい。
【００２９】
（２）上記実施形態ではガタ抑制リブ３３の先端に圧入突起３６を設けているものの、ガタ抑制リブの基端側を肉盛りすることで圧入突起を設けてもよい。
【００３０】
（３）上記実施形態ではリテーナ３０が仮係止位置から本係止位置へ移動する間に圧入が行われるようにしているものの、圧入はリテーナ３０が本係止位置に至る前に完了していてもよい。要するに、干渉部Ｉの上下寸法が仮係止位置から本係止位置までの移動距離と等しいようにしておけば、圧入のタイミングは問わない。
【符号の説明】
【００３１】
１０…コネクタ
２０…ハウジング
２１…キャビティ
２２…リテーナ収容空間
２２Ａ…内側壁（内壁）
２５…リブ収容空間
２６…圧入凹部
３０…リテーナ
３１…リテーナ本体
３３…ガタ抑制リブ
３６…圧入突起
Ｉ…干渉部
【図１】
2016051553.tif 000003
【図２】
2016051553.tif 000004
【図３】
2016051553.tif 000005
【図４】
2016051553.tif 000006
【図５】
2016051553.tif 000007
【図６】
2016051553.tif 000008
【図７】
2016051553.tif 000009
【図８】
2016051553.tif 000010
【図９】
2016051553.tif 000011
【図１０】
2016051553.tif 000012